(57)【要約】【課題】サービス開始やサービス完了を示すサービス進行情報を特定の相手に通知する。【解決手段】履歴データ通知システム１は、鍵データが記憶された移動端末２と、移動端末２との間の無線通信により取得した鍵データを認証する認証装置３とを備える。移動端末２は、鍵データの認証時における履歴データを、メールサーバ４を介して予め登録された宛て先の通知対象機器５にメール送信する。サービス提供に伴う訪問時に認証装置３により認証情報が正常認証されたとき、サービス完了後の辞去時に認証装置３により認証情報が正常認証されたときの少なくとも一方のタイミングにより、サービス開始又はサービス完了を示すサービス進行情報を含む履歴データを通知対象機器５に送信する。【選択図】図１
2015185002.tif 000002
【特許請求の範囲】
【請求項１】
認証情報が記憶された移動端末と、
前記移動端末との間の無線通信により該移動端末から取得した認証情報の認証を行う認証装置とを備え、前記認証情報の認証時における履歴データを、予め登録された宛て先の通知対象機器に対して前記移動端末から送信する履歴データ通知システムであって、
サービス提供に伴う訪問時に前記認証装置により前記認証情報が正常認証されたとき、サービス完了後の辞去時に前記認証装置により前記認証情報が正常認証されたときの少なくとも一方のタイミングにより、サービス開始又はサービス完了を示すサービス進行情報を含む履歴データを前記通知対象機器に送信することを特徴とする履歴データ通知システム。
【請求項２】
前記移動端末は、サービスの開始を指示する開始キーと、前記サービスの完了を指示する完了キーとを備え、
前記サービス提供に伴う訪問時に前記開始キーの操作とともに前記認証装置により前記認証情報が正常認証されると前記サービスの開始を示す開始フラグを無効なオフ状態から有効なオン状態に切り替え、前記正常認証時の履歴データが前記通知対象機器に送信されると前記開始フラグを有効なオン状態から無効なオフ状態に切り替え、
前記サービス提供の完了後の辞去時に前記認証装置により前記認証情報が正常認証されると前記サービスの完了を示す完了フラグを無効なオフ状態から有効なオン状態に切り替え、この正常認証時の履歴データが前記通知対象機器に送信されると前記完了フラグを有効なオン状態から無効なオフ状態に切り替えることを特徴とする請求項１記載の履歴データ通知システム。
【請求項３】
前記移動端末は、サービスの完了を指示する完了キーを備え、前記サービスの開始が有効なオン状態の開始フラグを前記認証情報に含んでおり、
前記サービス提供に伴う訪問時に前記認証装置により前記認証情報が正常認証され、この正常認証時の履歴データが前記通知対象機器に送信されると前記開始フラグを有効なオン状態から無効なオフ状態に切り替え、
前記サービス提供の完了後の辞去時に前記認証装置により前記認証情報が正常認証されると前記サービスの完了を示す完了フラグを無効なオフ状態から有効なオン状態に切り替え、この正常認証時の履歴データが前記通知対象機器に送信されると前記完了フラグを有効なオン状態から無効なオフ状態に切り替えることを特徴とする請求項１記載の履歴データ通知システム。
【発明の詳細な説明】
【技術分野】
【０００１】
本発明は、例えば携帯電話やスマートフォンなどの移動端末を認証媒体として使用し、移動端末の認証が行われた際の履歴データを登録先相手に通知することができる履歴データ通知システムに関するものである。
【背景技術】
【０００２】
例えばオフィスビルや集合住宅などのエントランスや玄関には、例えば携帯電話や携帯型の無線リモコンキー、磁気カードや非接触型ＩＣカードなどの各種ＩＤキーに記憶された施解錠情報の認証を行い、施解錠情報を正常認証したときに電気錠を解錠又は施錠する電気錠システムが採用されている。
【０００３】
この種の電気錠システムでは、室外から電気錠の解錠又は施錠を行う場合、各種ＩＤキーからの施解錠情報が電気錠の施解錠を許可する情報であるか否かを制御部が判別し、施解錠を許可して良い情報と判別したときにモータなどの駆動手段を駆動させ、扉枠の係止穴に対してデッドボルトを引き込み又は突出することにより、電気錠の解錠又は施錠を行っている。
【０００４】
ところで、この種の電気錠システムでは、外出時に個別ＩＤキー毎に設定登録された通知先へ外出したことを通知する機能が要望されている。この要望に答えた外出通知システムとしては、下記特許文献１に開示されるものが提案されている。
【０００５】
特許文献１に開示される外出通知システムでは、個別ＩＤキーを用いて電気錠の施解錠を行う際に、電気錠装置が個別ＩＤキーから利用者を識別するための個別ＩＤと施解錠情報とを読み取り、読み取った施解錠情報を正常認証したときのみ現在の錠前の施解錠状態、扉の開閉状態に応じて電気錠を電気的に施解錠制御し、外出により電気錠が施錠された時には、個別ＩＤキーから読み取った個別ＩＤと施錠時間を含む外出情報をサーバに出力する。サーバは、電気錠装置から外出情報が入力されると、この外出情報の個別ＩＤに対応する通知先情報を検索し、検索された通知先情報に基づく通知対象物に外出情報を通知する。
【先行技術文献】
【特許文献】
【０００６】
【特許文献１】特開２００９−２０１７号公報
【発明の概要】
【発明が解決しようとする課題】
【０００７】
しかしながら、上述した特許文献１に開示される外出通知システムでは、サーバに対して履歴データを送信しており、電気錠装置がサーバとネットワーク接続される必要があった。このため、電気錠装置とサーバとの間で通信を行うためのプロバイダとの契約が必要不可欠なだけでなく、履歴データの閲覧にも専用のアプリケーションが必要であり、サーバの維持管理にもコストがかかるという問題があった。また、電気錠装置とサーバとの間が有線の場合には配線工事が必要であり、無線の場合は無線化するための機器が必要であった。さらに、電気錠装置とサーバとの間で正常に通信を行うためのセットアップ者によるセットアップ作業が煩雑であった。
【０００８】
ところで、近年では、スマートフォンや携帯電話を中心とする移動端末が普及しており、この移動端末をＩＤキーとして用い、ＩＤキーの認証情報の認証の元に各種サービスの提供を行う事業が注目されている。具体的には、訪問介護サービス事業者が利用者の住戸に介護者を派遣して介護を行う訪問介護サービスがある。移動端末をＩＤキーとして用いた訪問介護サービスでは、利用者に訪問介護サービスを提供するにあたって、介護者が所有する移動端末をＩＤキーとし、このＩＤキーに予め認証情報を登録しておき、ＩＤキーを所有する介護者がサービス契約をしている利用者の住戸に訪問して介護業務のサービスを開始するときと、介護者が介護業務のサービスを完了して住戸から辞去するときに認証情報の認証を行い、認証情報を正常認証したときに住戸の玄関扉を自動的に解錠・施錠制御する。これにより、介護者は、自身が所有するＩＤキーを認証媒体とし、ＩＤキーの認証情報の認証の元に玄関扉の解錠・施錠が制御され、所定の介護業務のサービスを遂行することができる。
【０００９】
しかしながら、上述した移動端末をＩＤキーとして利用した訪問介護サービスでは、介護業務を遂行するにあたって、特定の相手、例えば訪問介護サービスを統括管理する管理センターや被介護者の家族などへの通知が必要な場合には、介護者が介護業務を開始する前と介護業務を終了した後に移動端末から電話によって別途知らせる必要があった。しかも、相手が応答しない場合には、相手への通知が遅れてしまい、その分だけ実際の介護業務が完了してからタイムラグが生じ、介護業務の遂行状況をリアルタイムに把握して管理することができなかった。
【００１０】
そこで、本発明は上記問題点に鑑みてなされたものであり、サービス開始やサービス完了を示すサービス進行情報を特定の相手に通知することができる履歴データ通知システムを提供することを目的とするものである。
【課題を解決するための手段】
【００１１】
上記した目的を達成するために、請求項１に記載された履歴データ通知システムは、認証情報が記憶された移動端末と、
前記移動端末との間の無線通信により該移動端末から取得した認証情報の認証を行う認証装置とを備え、前記認証情報の認証時における履歴データを、予め登録された宛て先の通知対象機器に対して前記移動端末から送信する履歴データ通知システムであって、
サービス提供に伴う訪問時に前記認証装置により前記認証情報が正常認証されたとき、サービス完了後の辞去時に前記認証装置により前記認証情報が正常認証されたときの少なくとも一方のタイミングにより、サービス開始又はサービス完了を示すサービス進行情報を含む履歴データを前記通知対象機器に送信することを特徴とする。
【００１２】
請求項２に記載された履歴データ通知システムは、請求項１の履歴データ通知システムにおいて、
前記移動端末は、サービスの開始を指示する開始キーと、前記サービスの完了を指示する完了キーとを備え、
前記サービス提供に伴う訪問時に前記開始キーの操作とともに前記認証装置により前記認証情報が正常認証されると前記サービスの開始を示す開始フラグを無効なオフ状態から有効なオン状態に切り替え、前記正常認証時の履歴データが前記通知対象機器に送信されると前記開始フラグを有効なオン状態から無効なオフ状態に切り替え、
前記サービス提供の完了後の辞去時に前記認証装置により前記認証情報が正常認証されると前記サービスの完了を示す完了フラグを無効なオフ状態から有効なオン状態に切り替え、この正常認証時の履歴データが前記通知対象機器に送信されると前記完了フラグを有効なオン状態から無効なオフ状態に切り替えることを特徴とする。
【００１３】
請求項３に記載された履歴データ通知システムは、請求項１の履歴データ通知システムにおいて、
前記移動端末は、サービスの完了を指示する完了キーを備え、前記サービスの開始が有効なオン状態の開始フラグを前記認証情報に含んでおり、
前記サービス提供に伴う訪問時に前記認証装置により前記認証情報が正常認証され、この正常認証時の履歴データが前記通知対象機器に送信されると前記開始フラグを有効なオン状態から無効なオフ状態に切り替え、
前記サービス提供の完了後の辞去時に前記認証装置により前記認証情報が正常認証されると前記サービスの完了を示す完了フラグを無効なオフ状態から有効なオン状態に切り替え、この正常認証時の履歴データが前記通知対象機器に送信されると前記完了フラグを有効なオン状態から無効なオフ状態に切り替えることを特徴とする。
【発明の効果】
【００１４】
本発明によれば、例えば訪問介護サービスに採用した場合、サービス提供者である介護者が訪問時及び辞去時に移動端末を使って認証情報の認証を行い、サービス提供に伴う訪問時やサービス完了後の辞去時に認証情報が正常認証されると、サービス開始又はサービス完了を示すサービス進行情報を含む履歴データを通知対象機器に送信するので、特定の相手のみにサービス進行情報（サービス開始時刻、サービス完了時刻）を通知することができる。
【００１５】
また、サービス開始やサービス完了を示すサービス進行情報を含む履歴データが通知対象機器に通知されるので、決められた時間にサービスが開始され、サービスが完遂されたか否かを通知対象機器側で確認でき、介護業務の遂行状況を通知対象機器側でリアルタイムに把握して管理することができる。
【図面の簡単な説明】
【００１６】
【図１】本発明に係る履歴データ通知システムの全体構成を示すブロック図である。
【図２】本発明に係る履歴データ通知システムの鍵データ認証時の処理の流れを示すフローチャート図である。
【発明を実施するための形態】
【００１７】
以下、本発明を実施するための形態について、添付した図面を参照しながら詳細に説明する。
【００１８】
本発明に係る履歴データ通知システムは、所定のサービス提供時に用いられる認証情報（鍵データ）を認証したときの履歴データを登録宛て先に通知する履歴通知機能、サービス完了後に認証情報（鍵データ）を無効化する無効化処理機能を有している。
【００１９】
図１に示すように、履歴データ通知システム１は、移動端末２、認証装置３、メールサーバ４、通知対象機器５を備えて構築される。
【００２０】
移動端末２は、所定のサービスを利用者に提供するサービス提供者が所有するもので、例えば携帯電話、スマートフォンなどの通信機能を有する端末からなり、記憶部２ａ、通信部２ｂ、操作表示部２ｃ、制御部２ｄを含む構成である。
【００２１】
記憶部２ａは、例えばＥＥＰＲＯＭやフラッシュメモリ等の不揮発性メモリやＤＲＡＭやＳＤＲＡＭ等の揮発性メモリを含む各種半導体メモリで構成される。記憶部２ａは、例えば不図示の鍵配信サーバから事前に配信される認証情報を記憶している。認証情報は、認証装置３が認証に使用する情報である。本例では、電気錠３ｃを解錠又は施錠するための鍵データを認証情報として説明する。
【００２２】
また、記憶部２ａは、訪問時及び辞去時に移動端末２と認証装置３との間で無線通信（例えば、ＮＦＣ、ＲＦＩＤ、Ｗｉ−Ｆｉ、ブルートゥース（登録商標）などを利用した近距離無線通信）により鍵データの認証処理を行った時の履歴データを送信する通知対象機器５の宛て先（メールアドレス、電話番号）を記憶している。履歴データは、例えば移動端末２を特定する情報、鍵データの認証が行われた時刻、鍵データの認証結果（正常、異常）、電気錠３ｃの施解錠状態や扉の開閉状態に基づく訪問時刻や辞去時刻、サービス進行情報としてのサービス開始時刻やサービス完了時刻などの情報からなる。
【００２３】
さらに、記憶部２ａは、予めインストールされる認証用アプリケーションを記憶している。認証用アプリケーションは、認証装置３が認証に使用する鍵データの受信及び記憶部２ａへの記憶、認証装置３からの鍵データ要求指令に対する鍵データの送信、通知対象機器５への鍵データ認証時の履歴データ（サービス進行情報を含む）の送信、履歴データを送信する通知対象機器５の宛て先の登録・抹消・変更、鍵データを用いた認証装置３の解錠制御又は施錠制御を制御部２ｄに実行させるためのプログラムからなる。
【００２４】
通信部２ｂは、制御部２ｄの制御により、移動端末２と認証装置３との間で相互に無線通信（近距離無線通信）による情報のやり取りを行っている。また、通信部２ｂは、制御部２ｄの制御により、移動端末２とメールサーバ４との間で無線通信による情報のやり取りを行っている。
【００２５】
操作表示部２ｃは、操作ボタン、液晶表示器、表示画面上のソフトキーなどを備えて構成される。また、操作表示部２ｃには、開始キー２ｃ１と完了キー２ｃ２が設けられている。この開始キー２ｃ１と完了キー２ｃ２は、サービス提供者がサービス契約している利用者の住戸に訪問して所定のサービスを提供するにあたって、認証用アプリケーションを起動して鍵データの認証を行う際に操作されるものである。
【００２６】
具体的に、訪問介護サービス事業者から派遣される介護者は、移動端末２を所有して訪問介護サービスを契約している住戸に訪問し、鍵データの認証を行って介護業務のサービス開始を指示するときに開始キー２ｃ１を押動し、介護業務のサービス完了を指示して住戸から辞去して鍵データの認証を行うときに完了キー２ｃ２を押動する。この開始キー２ｃ１が押動されたときのサービス開始信号と完了キー２ｃ２が押動されたときのサービス完了信号はそれぞれ制御部２ｄに入力される。
【００２７】
尚、鍵データの配信時において、サービスの開始が有効な状態を示す「ＯＮ」の開始フラグが鍵データのデータの一部として含まれる場合には、開始キー２ｃ１を省き、構成の簡略化を図ることができる。
【００２８】
制御部２ｄは、例えばＣＰＵ（Central Processing Unit ）やＲＯＭ（Read Only Memory），ＲＡＭ（Random Access Memory）等のプロセッサで構成され、記憶部２ａ、通信部２ｂ、操作表示部２ｃを統括制御している。さらに制御内容について説明すると、制御部２ｄは、鍵データの認証時に操作表示部２ｃの開始キー２ｃ１が押動されてサービス開始信号が入力されると、サービスの開始を示す開始フラグを有効な「ＯＮ」状態に制御し、鍵データの認証に伴って履歴データ（サービス進行情報を含む）が通知対象機器５に送信されると、サービスの開始を示す開始フラグを無効な「ＯＦＦ」状態に制御している。制御部２ｄは、鍵データの認証時に操作表示部２ｃの完了キー２ｃ２１が押動されてサービス完了信号が入力されると、サービスの完了を示す完了フラグを有効な「ＯＮ」状態に制御し、鍵データの認証に伴って履歴データ（サービス進行情報を含む）が通知対象機器５に送信されると、サービスの完了を示す完了フラグを無効な「ＯＦＦ」状態に制御して鍵データを無効化処理している。制御部２ｄは、認証装置３から鍵データ要求指令を受信するように通信部２ｂを制御している。制御部２ｄは、鍵データ要求指令を受信したときに認証用アプリケーションを起動している。制御部２ｄは、起動した認証用アプリケーションにより、認証装置３に鍵データを送信するとともにメールサーバ４を介して通知対象機器５に履歴データ（サービス進行情報を含む）を送信するように通信部２ｂを制御している。
【００２９】
尚、鍵データの無効化処理は、鍵データを利用できないようにする処理であり、鍵データ認証時の履歴データ（サービス進行情報を含む）が通知対象機器５に送信されて完了フラグが「ＯＮ」状態から「ＯＦＦ」状態に切り替わったときに、認証用アプリケーション上で制御部２ｄが鍵データの有効状態を「有効」から「無効」に書き換えたり、鍵データ自体を削除する。また、鍵データの無効化処理は、サービス完了による辞去時の履歴データ（サービス進行情報を含む）が通知対象機器５としての鍵配信サーバに送信されたときに、この鍵配信サーバから移動端末２の記憶部２ａに記憶された鍵データの有効状態を「有効」から「無効」に書き換えたり、鍵データの有効期限をサービスが完了した時刻に書き換えたり、鍵データ自体を削除しても良い。さらに、鍵データの無効化処理は、サービス完了による辞去時の履歴データ（サービス進行情報を含む）が通知対象機器５に送信されて完了フラグが「ＯＮ」状態から「ＯＦＦ」状態に切り替わったときに、認証装置３の制御部３ｄが鍵データの有効状態を「有効」から「無効」に書き換えたり、鍵データ自体を削除しても良い。
【００３０】
認証装置３は、鍵データの認証結果に基づき、例えば錠前を電気的に施解錠制御する電気錠システムやゲートの開閉を電気的に制御してゲートの出入を管理する出入管理装置などで構成される。ここでは、電気錠システムを認証装置３とした場合を例にとって説明する。
【００３１】
認証装置３としての電気錠システムは、記憶部３ａ、通信部３ｂ、電気錠３ｃ、制御部３ｄを含む構成からなり、特に図示はしないが、電気錠３ｃの施解錠状態や扉の開閉状態を検知する周知の検知手段を備えている。
【００３２】
記憶部３ａは、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成される。記憶部３ａは、通信部３ｂが移動端末２から取得した鍵データの認証を行うための照合用鍵データを記憶している。この照合用鍵データは、例えば認証装置３を特定する製造番号などからなり、電気錠３ｃの解錠・施錠の許可権限を付与するために必要不可欠なデータである。
【００３３】
通信部３ｂは、制御部３ｄの制御により、認証装置３と移動端末２との間で相互に無線通信（近距離無線通信）による情報のやり取りを行っている。
【００３４】
電気錠３ｃは、制御部３ｄの制御により、例えばモーターやソレノイド等の駆動手段への通電を制御し、駆動手段に連結されるデッドボルトを扉枠の係合穴に対して進退させることで施錠又は解錠される周知の機構からなる。尚、電気錠３ｃは、制御部３ｄにより電気的に錠前の施錠や解錠が制御される構成であれば良く、その構造が特に限定されるものではない。
【００３５】
制御部３ｄは、例えばＣＰＵ（Central Processing Unit ）やＲＯＭ（Read Only Memory），ＲＡＭ（Random Access Memory）等のプロセッサで構成され、記憶部３ａ、通信部３ｂ、電気錠３ｃを統括制御している。さらに制御内容について説明すると、制御部３ｄは、携帯端末２に対して鍵データを要求するため、周期的に鍵データ要求指令を送信するように通信部３ｂを制御している。制御部３ｄは、移動端末２から取得した鍵データが正常か否かの認証を行っている。制御部３ｄは、移動端末２から取得した鍵データを正常認証したときに、電気錠３ｃを解錠又は施錠制御している。
【００３６】
尚、鍵データ要求指令には、採用される認証装置３と対応付けされる扉を示すＩＤが含まれる。また、履歴データの宛て先機器となる通知対象機器５が扉毎に登録される場合には、鍵データを認証する扉に応じて履歴データの送信先を変更することができる。
【００３７】
さらに、鍵データ要求指令には、ＩＤの他、時刻や署名などを含めることができる。そして、署名を鍵データ要求指令に含ませれば、通知対象機器５に送信される履歴データ（サービス進行情報を含む）の改ざんを防止することができる。
【００３８】
メールサーバ４は、電子メールを配送するためのサーバコンピュータであり、認証装置３から移動端末２を介して送信される履歴データを受信し、この受信した履歴データを該当する宛て先の通知対象機器５にメール（例えば電子メール、ＳＭＳ（ショートメッセージサービス）など）を用いて送信している。
【００３９】
通知対象機器５は、訪問時及び辞去時に移動端末２から送信される履歴データ（サービス進行情報を含む）の通知を受ける権限が与えられた者（例えばサービス事業者、サービス利用者の家族など）が所有するもので、例えば携帯電話、スマートフォンなどの通信機能や表示機能を有し、移動端末３からメールサーバ４を介して履歴データの通知を受けて表示する機器からなり、記憶部５ａ、通信部５ｂ、表示部５ｃ、制御部５ｄを含む構成である。尚、通知対象機器５は、サービス事業者やシステム管理者が管理する管理サーバで構成される場合もある。
【００４０】
記憶部５ａは、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成される。記憶部５ａは、メールサーバ４からメール送信される履歴データ（サービス進行情報を含む）などを記憶している。
【００４１】
通信部５ｂは、制御部５ｄの制御により、通知対象機器５とメールサーバ４との間で無線通信による情報のやり取りを行っている。
【００４２】
表示部５ｃは、例えば液晶表示器などで構成される。表示部５ｃは、制御部５ｄの制御により、移動端末３からメールサーバ４を介してメール受信した履歴データを表示画面上に表示している。
【００４３】
制御部５ｄは、例えばＣＰＵ（Central Processing Unit ）やＲＯＭ（Read Only Memory），ＲＡＭ（Random Access Memory）等のプロセッサで構成され、記憶部５ａ、通信部５ｂ、表示部５ｃを統括制御している。さらに制御内容について説明すると、制御部５ｄは、移動端末２からメールサーバ４を介してメール送信される履歴データ（サービス進行情報を含む）を受信するように通信部５ｂを制御している。制御部５ｄは、受信した履歴データを記憶部５ａに記憶させている。制御部５ｄは、移動端末２からメールサーバ４を介して受信したメールによる履歴データを表示するように表示部５ｃを制御している。
【００４４】
尚、図１の例では、移動端末２と同様に、例えば携帯電話、スマートフォンなどの通信機能を有する端末を通知対象機器５として説明しているが、移動端末２からの履歴データを電子メール形式で受信し、受信した履歴データを一覧表示できる機器（例えばパソコンなどの端末）を通知対象機器５として用いることができる。
【００４５】
次に、上記のように構成される履歴データ通知システム１により鍵データの認証処理を行い、この認証処理時の履歴データを通知対象機器５に送信して通知するまでの一連の動作について図２を参照しながら説明する。
【００４６】
尚、移動端末２には、認証用アプリケーションが予めインストールされて記憶部２ａに記憶されている。また、移動端末２には、事前に配信される鍵データが記憶部２ａに記憶されている。
【００４７】
認証装置３は、鍵データ要求指令（例えばＩＤ、時刻、署名など）を周期的に送信する（ＳＴ１）。認証装置３が鍵データ要求指令を送信している状態で、移動端末２を通信可能領域内で認証装置３にかざすと、移動端末２と認証装置３との間で無線通信（近距離無線通信）を開始する。
【００４８】
移動端末２は、認証装置３から鍵データ要求指令を受信すると、その応答として、記憶部２ａに記憶された鍵データを認証装置３に送信する（ＳＴ２）。
【００４９】
認証装置３は、移動端末２から鍵データを受信して取得すると、取得した鍵データの認証処理を行う。この鍵データの認証処理では、取得した鍵データと予め登録された登録済鍵データとを照合する。そして、両者のＩＤが一致すれば、取得した鍵データが正常なものであると認証する。これに対し、両者のＩＤが一致しなければ、取得した鍵データが異常なものであると認証する。
【００５０】
移動端末２は、上述した鍵データの送信に伴い、鍵データの認証処理における履歴データをメールサーバ４に送信する（ＳＴ３）。履歴データは、例えば移動端末２を特定する情報、鍵データの認証が行われた時刻、鍵データの認証結果、訪問時刻、署名などや、サービス開始を示すサービス進行情報を含むものである。
【００５１】
メールサーバ４は、移動端末２から受信した履歴データを、移動端末２で指定された通知対象機器５の宛て先にメール送信して通知する（ＳＴ４）。
【００５２】
通知対象機器５は、メールサーバ４からメールを用いて送信された履歴データを受信すると、この受信した履歴データを表示部５ｃに表示する。
【００５３】
そして、上述した履歴データ通信システム１は、移動端末２をＩＤキーとして用い、移動端末２に記憶された認証情報の認証の元にサービス事業者がシステム利用者に所定のサービスを提供する際に適用することができる。具体的には、訪問介護サービス事業者から派遣される例えば介護福祉士や訪問介護員（ホームヘルパー）などの介護者がシステム利用者の住戸を訪問し、移動端末２の認証情報の認証により住戸の玄関扉を自動的に解錠・施錠し、入浴、排せつ、食事等の身体介護や調理、洗濯、掃除等の生活援助を行う訪問介護サービスに適用することができる。
【００５４】
この場合、認証装置３による鍵データの認証は、図２に示す動作において、移動端末２を所有する介護者がサービス契約をしている住戸に訪問して介護業務のサービスを開始するときと、介護者が介護業務のサービスを完了して住戸から辞去するときに行う。
【００５５】
さらに説明すると、介護者が訪問介護サービスを受ける住戸の玄関扉やその近傍に設置される認証装置３に移動端末２をかざすとともに開始キー２ｃ１を押動すると、認証装置３が移動端末２から鍵データを取得する。そして、認証装置３が鍵データを正常認証すると、電気錠３ｃが解錠して開始フラグが無効な「ＯＦＦ」状態から有効な「ＯＮ」状態に切り替わり、介護者は玄関扉を開けて住戸に入り、所定の介護業務のサービスを開始することができる。その際、鍵データ認証時の履歴データ（例えば移動端末２を特定する情報、鍵データの認証時刻、認証結果、訪問時刻、署名などや、サービス開始を示すサービス進行情報を含む）は、サービス事業者が管理する通知対象機器５にメール送信される。履歴データがメール送信されると、開始フラグが有効な「ＯＮ」状態から無効な「ＯＦＦ」状態に切り替わる。これにより、介護者が介護業務のサービスを遂行している間は、開始フラグ及び完了フラグが何れも無効な「ＯＦＦ」状態に保持される。
【００５６】
そして、介護者が介護業務のサービスを完了し、住戸から外に出て玄関扉を閉め、移動端末２を認証装置３にかざすとともに完了キー２ｃ２を押動すると、認証装置３が移動端末２から鍵データを取得する。そして、認証装置３が鍵データを再度正常認証すると、電気錠３ｃが施錠して完了フラグが無効な「ＯＦＦ」状態から「ＯＮ」状態に切り替わる。そして、鍵データ認証時の履歴データ（例えば移動端末２を特定する情報、鍵データの認証時刻、認証結果、辞去時刻、署名などや、サービス完了を示すサービス進行情報を含む）は、サービス事業者が管理する通知対象機器５やサービス利用者（被介護者）の家族が所有する通知対象機器５にメール送信される。履歴データがメール送信されると、完了フラグが有効な「ＯＮ」状態から無効な「ＯＦＦ」状態に切り替わり、鍵データの無効化処理が行われる。
【００５７】
これにより、サービス利用者（被介護者）の家族は、留守中であっても、サービスの開始時及び完了時に通知される履歴データにより、派遣した介護者が決められた時間に介護業務のサービスを遂行したか否かを通知対象機器５で確認することができる。また、サービス事業者は、サービスの開始時及び完了時に通知される履歴データにより、派遣した介護者が決められた時間に介護業務のサービスを遂行したか否かを通知対象機器５で確認し、介護者の移動端末２毎における介護業務のサービスの遂行状態を把握して一括して管理することができる。さらに、介護業務のサービスが完了して鍵データが正常認証されると、その鍵データが無効化処理されるので、介護業務のサービス完了後に不用意に鍵データが悪用されるのを防ぐことができ、セキュリティの向上を図ることができる。
【００５８】
ところで、上述した実施の形態では、好ましい処理として、サービス提供に伴う訪問時に認証装置３により鍵データが正常認証されたときにサービス開始を示すサービス進行情報を含む履歴データを通知対象機器５に送信し、サービス完了後の辞去時に認証装置３により鍵データが正常認証されたときにサービス完了を示すサービス進行情報を含む履歴データを通知対象機器５に送信するものとして説明したが、これに限定されるものではない。すなわち、訪問時に認証装置３により鍵データが正常認証されたときのみサービス開始を示すサービス進行情報を通知対象機器５に送信しても良い。また、サービス完了後の辞去時に認証装置３により鍵データが正常認証されたときのみサービス完了を示すサービス進行情報を通知対象機器５に送信しても良い。
【００５９】
このように、本例の履歴データ通知システム１では、認証装置３から鍵データ要求指令を受けた移動端末２が認証用アプリケーションを起動し、この認証アプリケーションにより、鍵データを認証装置３に送信するとともに、認証装置３の鍵データの認証処理における履歴データ（サービス進行情報を含む）を、メールサーバ４を介して通知対象機器５にメール送信している。
【００６０】
これにより、従来のような鍵配信サーバの維持管理が不要となり、専用のアプリケーションを用いず、標準的なメール（電子メール、ＳＭＳなど）を用いて鍵データの認証時における履歴データ（サービス進行情報を含む）を通知対象機器５に送信し、通知対象機器５の表示部５ｃに履歴データを表示させて閲覧することができ、簡易な構成によってシステムを構築することができる。
【００６１】
しかも、本例の履歴データ通知システム１によれば、認証装置３のネットワーク接続、プロバイダとの契約、配線工事や専用機器などが不要であり、通知対象機器５へのメール通知設定を利用者が移動端末２の認証用アプリケーションを起動させた状態で行うことができる。
【００６２】
そして、移動端末２の鍵データが認証装置３で正常認証された後に所定のサービスが開始され、サービスが完了して認証装置３により鍵データが正常認証された後に移動端末２が鍵データを無効化処理されるようになっている。これにより、所定のサービスを完了した後、不用意に鍵データが悪用されるのを防ぐことができ、セキュリティの向上を図ることができる。
【００６３】
ところで、上述した実施の形態では、訪問時及び辞去時の履歴データ（例えば移動端末２を特定する情報、鍵データの認証時刻、認証結果、訪問時刻、辞去時刻などや、サービスの開始や完了を示すサービス進行情報を含む）を電子メール形式で移動端末２から通知対象機器５に送信するものとして説明している。これにより、サービス利用者の家族が所有する携帯電話、スマートフォンなどを通知対象機器５とした場合には、移動端末２から送信される履歴データを通知対象機器５の表示画面上で容易に確認することができる。これに対し、サービス事業者やシステム管理者が管理する管理サーバを通知対象機器５とした場合には、移動端末２から送信される履歴データが第三者によって傍受されるおそれがあるため、履歴データを暗号化したり、履歴データを予め決められた規則に従って数字・記号化し、第三者が解析しにくい形式の情報により移動端末２から通知対象機器５に送信するのが好ましい。
【００６４】
以上、本発明に係る履歴データ通知システム１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００６５】
１  履歴データ通知システム
２  移動端末
２ａ  記憶部
２ｂ  通信部
２ｃ  操作表示部
２ｃ１  開始キー
２ｃ２  完了キー
２ｄ  制御部
３  認証装置
３ａ  記憶部
３ｂ  通信部
３ｃ  電気錠
３ｄ  制御部
４  メールサーバ
５  通知対象機器
５ａ  記憶部
５ｂ  通信部
５ｃ  表示部
５ｄ  制御部
【図１】
2015185002.tif 000003
【図２】
2015185002.tif 000004